(57)【要約】ハンドオーバが抑制された移動端末に対してスモールセルによる干渉を抑制するための無線通信システムが、移動端末と、第１のセルと、第２のセルとを有する。無線通信システムは、移動端末の移動速度と、第１のセルのセル種別及び第２のセルのセル種別に基づき、移動端末が第１のセルから第２のセルへハンドオーバすることを抑制するハンドオーバ抑制部を有する。また、無線通信システムは、ハンドオーバが抑制された移動端末に対して、第２のセルからの干渉を抑制する干渉抑制部を有する。
2016038879.tif 000002
【特許請求の範囲】
【請求項１】
移動端末と、
第１のセルと、
第２のセルとを有する無線通信システムであって、
前記移動端末の移動速度に応じて定められた端末種別と、前記第１のセルのセル種別及び前記第２のセルのセル種別に基づき、前記移動端末が前記第１のセルから前記第２のセルへハンドオーバすることを抑制するハンドオーバ抑制部と、
前記ハンドオーバが抑制された前記移動端末に対して、前記第２のセルからの干渉を抑制する干渉抑制部と、
を有する無線通信システム。
【請求項２】
前記第１のセルのセルサイズは、前記第２のセルのセルサイズよりも大きい、
請求項１記載の無線通信システム。
【請求項３】
前記端末種別は、第１の端末種別と、前記第１の端末種別で示される第１の端末より移動速度が速い第２の端末を示す第２の端末種別とを含む、
請求項１又は２に記載の無線通信システム。
【請求項４】
前記ハンドオーバ抑制部は、
前記第１のセルから前記第２のセルへのハンドオーバの要求を拒否する、
請求項１又は３記載の無線通信システム。
【請求項５】
前記第１のセルを管理する基地局が、
前記ハンドオーバを抑制するためのハンドオーバ関連のパラメータを、前記第１のセルに位置する前記移動端末に通知する、
請求項１乃至４の何れか１項に記載の無線通信システム。
【請求項６】
前記干渉抑制部は、
前記第２のセルへのハンドオーバが抑制された前記移動端末が前記第２のセル内に位置することにより第２のセルからの干渉を受ける場合に、
前記第２のセルから前記移動端末への干渉を抑制する、
請求項１乃至５の何れか１項に記載の無線通信システム。
【請求項７】
前記ハンドオーバを抑制された移動端末の通信が異常に切断された後、前記移動端末が前記第２のセルへ再接続する事象の発生数または発生率を検出する検出部を更に有し、
前記干渉抑制部は、
前記検出された発生数または発生率が所定の閾値を超えた場合に、前記第２のセルからの干渉を抑制する、
請求項１乃至６の何れか１項に記載の無線通信システム。
【請求項８】
前記第２のセルを管理する第２の基地局を更に有し、
前記干渉抑制部は、
前記第２の基地局が所定の時間区間の無線リソースの使用を抑制するように制御する、
請求項１乃至７の何れか１項に記載の無線通信システム。
【請求項９】
前記第２の基地局は、
前記第２のセルへのハンドオーバが抑制された前記移動端末であって、前記第１のセルに接続される前記移動端末の通信を、前記所定の時間区間に割当てる、
請求項８に記載の無線通信システム。
【請求項１０】
前記干渉抑制部は、
前記第１のセルを管理する基地局が前記所定の時間区間を利用する利用率が、所定値以下の場合において、
前記第２のセルを管理する基地局が前記所定の時間区間における無線リソースの使用を抑制しないよう制御する、
請求項８に記載の無線通信システム。
【請求項１１】
第３のセルと、前記第３のセルを管理する基地局とを更に有し、
前記ハンドオーバ抑制部が、前記移動端末が前記第１のセルから、前記第２のセル及び前記第３のセルへハンドオーバすることを抑制する場合において、
前記干渉抑制部は、
前記第３のセルを管理する基地局が、前記所定の時間区間と同じ時間区間の無線リソースの使用を抑制するように制御する、
請求項８に記載の無線通信システム。
【請求項１２】
第３のセルと、前記第３のセルを管理する基地局とを更に有し、
前記ハンドオーバ抑制部が、前記移動端末が前記第１のセルから、前記第２のセル及び前記第３のセルへハンドオーバすることを抑制する場合において、
前記第２のセルにて測定された前記第１のセルの受信強度に基づき、前記第２のセルにおいて無線リソースの使用が抑制される時間区間が決定され、
前記第３のセルにて測定された前記第１のセルの受信強度に基づき、前記第３のセルにおいて無線リソースの使用が抑制される時間区間が決定される、
請求項８に記載の無線通信システム。
【請求項１３】
移動端末と、第１のセルと、第２のセルとを有する無線通信システムの基地局であって、
前記移動端末の移動速度と、前記第１のセルのセル種別及び前記第２のセルのセル種別に基づき、前記移動端末が前記第１のセルから前記第２のセルへハンドオーバすることを抑制するハンドオーバ抑制部と、
前記ハンドオーバが抑制された前記移動端末に対して、前記第２のセルからの干渉を抑制する干渉抑制部と、
を有する基地局。
【請求項１４】
移動端末と、第１のセルと、第２のセルとを有する無線通信システムの通信方法であって、前記通信方法は、
前記移動端末の移動速度と、前記第１のセルのセル種別及び前記第２のセルのセル種別に基づき、前記移動端末が前記第１のセルから前記第２のセルへハンドオーバすることを抑制することと；
前記ハンドオーバが抑制された前記移動端末に対して、前記第２のセルからの干渉を抑制することを含む通信方法。
【請求項１５】
基地局の通信方法をコンピュータに実行させるためのプログラムを記憶する記憶媒体であって、
前記基地局と通信可能な移動端末の移動速度と、第１のセルのセル種別及び第２のセルのセル種別に基づき、前記移動端末が前記第１のセルから前記第２のセルへハンドオーバすることを抑制することと、
前記ハンドオーバが抑制された前記移動端末に対して、前記第２のセルからの干渉を抑制することをコンピュータに実行させるためのプログラムを記憶する記憶媒体。
【発明の詳細な説明】
【技術分野】
【０００１】
本開示は、無線通信システム、基地局、通信方法、記憶媒体に関する。
【背景技術】
【０００２】
無線通信システムにおいて、移動端末は、接続先のセル（ソースセル）から他のセルに移動する際に、ハンドオーバと呼ばれる接続先のセルの切り替え処理を行い、通信を継続する。移動端末のハンドオーバを実現するため、ソースセルを管理する基地局は、所定のイベントが発生した場合に測定報告を送信するよう移動端末に指示する。所定のイベントとは、例えば、ソースセルの無線品質の劣化である。移動端末によって生成される測定報告は、ソースセル及びその隣接セル群の無線品質の測定結果を含む。ソースセルの基地局は、移動端末から測定報告を受信した時点で、測定報告に基づいて無線リンク接続の切り替え先のセル（ターゲットセル）を決定し、移動端末およびターゲットセルとのシグナリングを含むハンドオーバ手順を開始する。【０００３】
ここで、非特許文献１には、ＬＴＥ（Long Term Evolution）またはＥ−ＵＴＲＡＮ（Evolved UTRAN）に関する測定報告の送信イベントの１つが開示されている。当該文献においてEvent A3（Neighbor becomes offset better than serving）として規定された報告イベントの本質的部分は、以下の式（１）によって表わされる。
ＰＳ＋ＯＳ＜ＰＴ＋ＯＴ    （１）
式（１）中のＰＳはソースセルの無線品質の測定結果であり、ＰＴは隣接セルの無線品質の測定結果である。LTEの場合、ＰＳ及びＰＴは、下りリファレンス信号の受信電力（ＲＳＲＰ：Reference Signal Received Power）又は基準信号受信品質（ＲＳＲＱ：Reference Signal Received Quality）である。ＲＳＲＱは、総受信電力(ＲＳＳＩ：Received Signal Strength Indicator)に対するＲＳＲＰの比率である。【０００４】
式（１）中のＯＳは、ソースセルの下りリファレンス信号の無線品質に作用するオフセット値であり、一般にa3-offset（又はヒステリシス）と呼ばれるＨＯパラメータである。一方、式（１）中のＯＴは、隣接セルの下りリファレンス信号の無線品質に作用するオフセット値であり、一般にセル個別オフセット（ＣＩＯ：Cell Individual Offset）と呼ばれるＨＯパラメータである。ＣＩＯ（つまりＯＴ）は、隣接セルごとに異なる値が設定されてもよい。ＣＩＯは、基地局から自身の管理するセルに接続する移動端末に対して通知される隣接リスト（隣接セルリストとも呼ばれる）に含まれる。【０００５】
基地局に式（１）の動作条件が設定されると、その基地局が管理するセルに接続する移動端末に対して式（１）の動作条件が通知される。移動端末は、式（１）の条件を満たす期間が保護時間（ＴＴＴ: Time to Trigger）として定められた期間を超えて継続した場合に、ソースセルを管理する基地局に測定報告を送信する。基地局は、移動端末から測定報告を受信したら、測定報告に基づきターゲットセルを決定し、ターゲットセルへのハンドオーバを開始する。【０００６】
このとき、ハンドオーバの開始が遅すぎると、ターゲットセルへのハンドオーバを完了する前にsource cellの無線品質が所要品質を下回ってしまい、通信の異常切断（Too Late HO）が発生する。一方で、ハンドオーバの開始が早すぎると、target cellへのハンドオーバを完了した直後に再び式（１）を満たしてsource cellへ戻ってしまう不要なハンドオーバ（ping-pong HO）が発生する。【０００７】
こうした異常切断や不要なHOは、マクロセルにマイクロセルが混在する環境で、高速端末がマイクロセルを通過する際に生じやすいことが知られている。この問題を軽減する技術として、マクロセルへ接続した高速端末によるマイクロセルへのHOを抑制する方法が知られている。【０００８】
例えば、非特許文献２では、移動端末が、マイクロセルのカバレッジ内に所定時間を超えて滞在するまで、当該端末のマイクロセルへのHOを抑制する。これにより、マクロセルとマイクロセルの混在する環境で、高速端末がマイクロセルを通過する際の不要なHOや呼切断が低減される。【０００９】
特許文献１には、高速移動端末がスモールセルを通過する際に生じる不要な位置登録を抑制する技術が開示されている。【００１０】
また、特許文献２では、移動端末がフェムトセルを通過する際に生じるハンドオーバの失敗を軽減するため、マクロセルは、一部のサブフレームを使用しないようフェムトセルに要求する。また、このサブフレームは、ＡＢＳ（Ａｌｍｏｓｔ  Ｂｌａｎｋ  Ｓｕｂｆｒａｍｅ）と称され、要求を受信したフェムトセルは、ＡＢＳを設定する。
【先行技術文献】
【特許文献】
【００１１】
【特許文献１】国際公開第２０１４／０３４０８９号
【特許文献２】国際公開第２０１３／１１１８８９号
【非特許文献】
【００１２】
【非特許文献１】TS 36.331（(3GPP TS 36.331 V9.3.0 (2010-06)、Evolved Universal Terrestrial Radio Access (E-UTRA); Radio Resource Control (RRC); Protocol specification）
【非特許文献２】K. Ivano, G. Spring (Siemens AG), “Mobile Speed Sensitive Handover in a Mixed Cell Environment”, IEEE VTC1995, page 892 - 896, 1995.
【発明の概要】
【発明が解決しようとする課題】
【００１３】
しかしながら、上記先行技術文献には、ハンドオーバが抑制された移動端末に対してスモールセルが与える干渉を抑制することの開示がない。このため、例えば、マクロセルに接続して高速移動する端末がスモールセルを通過する際に、スモールセルからの干渉を低減することができない。【００１４】
そこで、例示的な実施形態の目的の１つは、ハンドオーバが抑制された移動端末に対してスモールセルが与える干渉を抑制することが可能な無線通信システム、基地局、通信方法、記憶媒体を提供することである。【００１５】
なお、この目的は、本明細書に開示される実施形態が達成しようとする複数の目的の１つに過ぎないことに留意されるべきである。その他の目的又は課題と新規な特徴は、本明細書の記述又は添付図面から明らかにされる。
【課題を解決するための手段】
【００１６】
例示的な実施形態の無線通信システムは、移動端末と、第１のセルと、第２のセルとを有する。無線通信システムは、前記移動端末の移動速度の違いに応じて定められた端末種別と、前記第１のセル及び前記第２のセルのセル種別に基づき、前記移動端末が前記第１のセルから前記第２のセルへハンドオーバすることを抑制するハンドオーバ抑制部を有する。また、無線通信システムは、前記ハンドオーバが抑制された前記移動端末に対して、前記第２のセルからの干渉を抑制する干渉抑制部を有する。【００１７】
他の例示的な実施形態の基地局は、移動端末と、第１のセルと、第２のセルとを有する無線通信システムの基地局である。該基地局は、前記移動端末の移動速度と、前記第１のセル及び前記第２のセルのセル種別に基づき、前記移動端末が前記第１のセルから前記第２のセルへハンドオーバすることを抑制するハンドオーバ抑制部と、前記ハンドオーバが抑制された前記移動端末に対して、前記第２のセルからの干渉を抑制する干渉抑制部とを有する。【００１８】
他の例示的な実施形態の通信方法は、移動端末と、第１のセルと、第２のセルとを有する無線通信システムの通信方法であって、前記移動端末の移動速度と、前記第１のセル及び前記第２のセルのセル種別に基づき、前記移動端末が前記第１のセルから前記第２のセルへハンドオーバすることを抑制し、前記ハンドオーバが抑制された前記移動端末に対して、前記第２のセルからの干渉を抑制する。【００１９】
他の例示的な実施形態の記憶媒体は、移動端末と通信可能に構成される基地局の通信方法をコンピュータに実行させるためのプログラムを記憶する。該プログラムは、前記移動端末の移動速度と、前記第１のセル及び前記第２のセルのセル種別に基づき、前記移動端末が前記第１のセルから前記第２のセルへハンドオーバすることを抑制するプロセスと、前記ハンドオーバが抑制された前記移動端末に対して、前記第２のセルからの干渉を抑制するプロセスとをコンピュータに実行させる。
【発明の効果】
【００２０】
本開示によれば、ハンドオーバが抑制された移動端末に対してスモールセルが与える干渉を抑制することが可能となる。
【図面の簡単な説明】
【００２１】
【図１】本開示の実施形態に係る関連技術を示す。
【図２】本開示の実施形態に係る無線通信システムの概略的な構成の一例を示す図である。
【図３】第１の例示的な実施形態の無線通信システムを示す図である。
【図４】第１の例示的な実施形態の構成を示す図である。
【図５】第１の例示的な実施形態のフレーム構成を示す図である。
【図６】第１の例示的な実施形態の動作を示す図である。
【図７】第１の例示的な実施形態の高速端末を特定する方法を示す図である。
【図８】第２の例示的な実施形態の構成を示す図である。
【図９】第２の例示的な実施形態の動作を示す図である。
【図１０】第３の例示的な実施形態の構成を示す図である。
【図１１】第４の例示的な実施形態の構成を示す図である。
【図１２】第５の例示的な実施形態の構成を示す図である。
【図１３】第６の例示的な実施形態の構成を示す図である。
【発明を実施するための形態】
【００２２】
以下において、添付図面を参照しながら、例示的な実施形態が詳細に示される。各図面において、同一又は対応する要素には同一の符号が付されており、説明の明確化のため、必要に応じて重複説明は省略される。以下に説明される複数の実施形態は、独立に実施されることもできるし、適宜組み合わせて実施されることもできる。
【００２３】
また、本明細書及び図面において、実質的に同一の機能構成を有する複数の構成要素を、同一の符号の後に異なるアルファベットを付して区別する場合もある。例えば、実質的に同一の機能構成を有する複数の構成が、必要に応じて移動端末２０Ａ、２０Ｂおよび２０Ｃのように区別される。ただし、実質的に同一の機能構成を有する複数の構成要素の各々を特に区別する必要がない場合、同一符号のみを付する。例えば、移動端末２０Ａ、２０Ｂおよび２０Ｃを特に区別する必要が無い場合には、単に移動端末２０と称する。
＜はじめに＞
まず、図１を参照して、本実施形態にかかる技術的課題について説明する。
【００２４】
第３世代(３Ｇ)移動体通信システムの標準化プロジェクト（3GPP：Third Generation Partnership Project）では、ヘテロジーニアスネットワーク（HetNet: Heterogeneous Network）の標準化が行われている。HetNetは、マクロセルの無線トラフィックを比較的送信電力の小さいスモールセルへとオフロードすることにより無線ネットワークの容量拡大を行うものである。
【００２５】
図１において、HetNetの環境において、基地局３０００Ａにより構成されるマクロセル３５００Ａに、高速で移動する移動端末２０００が、基地局３０００Ｂにより構成されるスモールセル３５００Ｂを通過する例が示されている。
【００２６】
この移動端末２０００が、セル３５００Ａからセル３５００Ｂへのハンドオーバを抑制されたまま、スモールセル３５００Ｂを通過すると、スモールセル３５００Ｂから強い干渉を受ける。マクロセル３５００Ａとスモールセル３５００Ｂとの周波数Ｆ１が同じためである。
【００２７】
スモールセル３５００Ｂからの強い干渉を受けることにより、移動端末２０００と、マクロセル３５００Ａの基地局３０００Ａとの同期が外れる。この同期が外れた状態が所定時間以上継続すると、呼切断(RLF: Radio Link Failure)が生じる。
【００２８】
例えば、LTEにおいて、呼切断の判定タイマ(t310)を最大値である2秒に設定すると、60km/hすなわち17m/sで移動する端末は、同期外れを起こしたまま34m通過し、呼切断が生じる。
【００２９】
対して、本開示に係る例示的な実施形態において、ハンドオーバが抑制された移動端末に対してスモールセルが与える干渉を抑制することが可能となる技術が示される。
＜無線通信システムの概略的な構成＞
図２は、本開示の実施形態に係る無線通信システムの概略的な構成の一例を示す。
【００３０】
図２において、本実施形態の無線通信システム１は、ハンドオーバ抑制部２と干渉抑制部３とを有する。
【００３１】
ハンドオーバ抑制部２は、移動端末の移動速度と、第１のセルのセル種別と第２のセルのセル種別に基づき、第１のセルから第２のセルへの移動端末のハンドオーバを抑制する。
【００３２】
干渉抑制部３は、ハンドオーバが抑制された移動端末に対して、第２のセルからの干渉を抑制する。
【００３３】
本実施形態によれば、ハンドオーバが抑制された移動端末に対してスモールセルが与える干渉を抑制することができる。このため、例えば、第１のセルに接続した移動端末が第２のセルを通過する際に、スループットの劣化や呼切断の発生を低減できる。
＜第１の例示的な実施形態＞
図３は、第１の例示的な実施形態の無線通信システムを示す。
【００３４】
図３において、無線通信システム１０は、基地局３０Ａ、基地局３０Ｂ、移動端末２０、セル３５Ａ、セル３５Ｂを有する。
【００３５】
セル３５Ａは、基地局３０Ａに属し、基地局３０Ａによって構成される。セル３５Ｂは、基地局３０Ｂに属し、基地局３０Ｂによって構成される。セル３５Ａは、セル３５Ｂよりセルサイズが大きい。移動端末２０は、高速で移動する高速端末である。
【００３６】
基地局３０Ｂは、移動端末２０の移動速度の違いに応じて定められた端末種別と、セル３５Ａと移動端末２０のハンドオーバ先のセル３５Ｂとのセル種別とに基づき、ハンドオーバを抑制することが可能となるように構成されている。
【００３７】
また、ハンドオーバの抑制が行われた後、セル３５Ａとセル３５Ｂとのセル間の干渉を低減するために、基地局３０Ｂは、ｅＩＣＩＣ（Enhanced Inter Cell Interference Coordination）を起動する。また、基地局３０Ｂは、ハンドオーバの抑制が行われた後、ｅＩＣＩＣに基づきセル３５Ｂにおいて無線リソースの使用が抑制された時間区間を示す情報として、基地局３０Ａに対してＡＢＳパターンを送信する。この送信には、例えば、基地局３０Ａと基地局３０Ｂとの間のＸ２インターフェースが用いられる。
【００３８】
さらに、基地局３０Ａは、セル３５Ｂにおいて無線リソースの使用が抑制された時間区間を示す情報を、受信する。受信した情報に基づき、基地局３０Ａは、当該時間区間に移動端末２０の通信を割り当てるように、通信の割当て制御（スケジューリング）を行う。
【００３９】
ここで、説明を簡単にするために、セル３５Ａ及びセル３５Ｂにおいて通信に使用される周波数（周波数）は同じであるとする。この場合、移動端末２０と基地局３０Ａとの通信は、セル３５Ｂから干渉を受ける。
【００４０】
本実施形態によれば、この干渉が低減され、無線通信システム１０におけるスループットの劣化や呼切断が低減される。
【００４１】
また、例えば、特許文献２のように、マクロセルからフェムトセル（スモールセル）に対するＡＢＳの要求が行われる場合、マクロセルを管理する基地局の処理負荷が高くなる問題がある。特に、マクロセルのエリア内に多数のスモールセルが配置された環境の場合、このマクロセルに係る基地局の処理負荷はより高くなる。この場合においても、本実施形態によれば、ハンドオーバ抑制のための処理及び干渉抑制のための処理が、スモールセル側で実施されるため、マクロセル側の基地局の処理負荷が低減される。
【００４２】
図４は、第１の例示的な実施形態の構成を示す。
【００４３】
図４において、基地局３０Ａは、ＨＯ制御部１０１Ａと干渉抑制部１０３Ａとを有する。また、基地局３０Ｂは、ＨＯ制御部１０１Ｂと、ＨＯ抑制部１０２Ｂと、干渉抑制部１０３Ｂとを有する。なお、図面中の矢印の向きは、一例を示すものであり、ブロック間の信号の向きを限定するものではない。
【００４４】
ＨＯ制御部１０１Ａは、ハンドオーバ（ＨＯ）を基地局３０Ｂに対して要求する。
【００４５】
ＨＯ抑制部１０２Ｂは、自セル３５Ｂよりセルサイズが大きなセル３５ＡからのＨＯを要求されたとき、ＨＯ対象の移動端末２０が高速端末であれば、ＨＯの要求を拒否する。
【００４６】
干渉抑制部１０３Ｂは、基地局間インターフェイス（Ｘ２インターフェース）を介して、干渉抑制の情報（ＡＢＳパターン）を基地局３０Ａへ送信する。
【００４７】
干渉抑制部１０３Ａは、基地局３０Ｂから受信した干渉抑制の情報に基づき、ＨＯを抑制された移動端末２０（高速端末）の通信を、セル３５Ｂの干渉が抑制される時刻（時間区間）へスケジューリングする。
【００４８】
上記の具体例が以下にて示される。
＜具体例＞
１．基地局３０ＢはＬＴＥの基地局（eNB: evolved Node B）である。基地局３０Ｂは、自セルよりセルサイズが大きなセルからのＨＯ要求を受けたとき、ＨＯ対象の移動端末２０が高速端末ならば、ＨＯ要求を拒否する。例えば、基地局３０Ｂは、ＨＯ要求元の基地局３０Ａに対して、HANDOVER PREPARATION FAILUREメッセージを送信することにより、ＨＯ要求を拒否する。以下（１）〜（３）に詳細が示される。
（１）基地局３０Ａが、ハンドオーバ要求として、Handover Requestメッセージ（HO Request）を送信する。
（２）基地局３０Ｂは、HO Requestを受信する。
（３）受信したHO Requestの中の「UE History Information」情報要素（IE: Information Element）を受信すると、基地局３０Ｂ(ターゲット基地局（target eNB）)は、ＨＯ対象の端末が過去に滞在したセル（セル３５Ｂより前のセル）の（セル識別情報（Global Cell ID）、 Cell Type、 滞在時間）の履歴（history）を取得(collect)し、記憶（store）する。
（４）基地局３０Ｂは、「UE History Information」に含まれるCell Type（例えば、verysmall、 small、 medium、 large）からセルサイズの大小関係を判断する。例えば、自セルのセルタイプ（Cell Type）が「small」であって、ＨＯ要求元のCell Typeがmediumまたはlargeなら、セルサイズが大きなセルからのＨＯ要求であると判断する。また、滞在時間（Time UE stayed in CellまたはTime UE stayed in Cell Enhanced Granularity）に関し、基地局３０Ｂは、セル滞在時間の平均値が所定値以下の場合、ＨＯ対象の移動端末２０を高速端末と判定してもよい。
【００４９】
２．基地局３０Ｂは、Ｘ２インターフェースを介して基地局３０ＡへＡＢＳパターンを送信する。また、基地局３０Ｂのセル３５Ｂに在圏する移動端末２０が、干渉抑制の時刻外のサブフレーム（subframe）へスケジューリングされる。なお、ＡＢＳパターンとは、ABS Informationに含まれる情報要素「ABS Pattern Info」で送受信される40bitの系列であってもよい。系列中の「１」の位置が、無線フレーム（radio frame）中のＡＢＳの位置を示している。この動作の起動条件および停止条件は以下のとおりである：
（起動条件１）ＨＯを抑制するとき、常に干渉が抑制される。
（起動条件２）特定の時間帯（例えば、通勤時間帯や帰宅ラッシュ時間帯）のみにおいて、ＨＯを抑制するとき、干渉が抑制される。
（起動条件３）ＨＯを抑制した移動端末がＲＬＦ後に、自セルへ再接続を要求するイベントとしてToo Late HOの数をカウントし、カウント値が所定値を超えた場合に干渉を抑制する。なお、Too Late HOの発生数だけでなく、発生率がカウントされうる。
[停止条件] 基地局３０Ｂは、ABSの利用率（ABS Status）を基地局３０Ａから取得し、利用率が所定値以下の場合に干渉抑制を停止し、ABSを含まないABSパターンを基地局３０Ａへ送信する
３．基地局３０Ａは、基地局３０Ｂから受信したＡＢＳパターンに従い、基地局３０ＢへのＨＯを抑制されたセル３５Ａの移動端末２０の通信を、干渉抑制の時刻（ＡＢＳ）へスケジューリングする。
【００５０】
図５は、第１の例示的な実施形態のフレーム構成を示す図である。
【００５１】
図５のように、セル３５ＢにおいてＡＢＳが設定されると、ＡＢＳが設定された時間区間（サブフレーム）と対応する時間区間に、セル３５Ａにおける移動端末２０（高速端末）のための無線リソースが割り当てられる。
【００５２】
図６は、第１の例示的な実施形態の動作を示す図である。
【００５３】
図６において、Ｓ１０１はＨＯ制御部１０１Ｂの動作である。Ｓ１０２〜Ｓ１０４はＨＯ抑制部１０２Ｂの動作である。Ｓ１０５及びＳ１０６は、干渉抑制部１０３Ｂの動作である。Ｓ１５１は、ＨＯ制御部１０１Ａの動作である。Ｓ１５２及びＳ１５３は、干渉抑制部１０３Ａの動作である。
＜基地局３０Ｂの動作＞
Ｓ１０１において、ＨＯ制御部１０１Ｂは、ハンドオーバ要求を受信したか否かを判断する。
【００５４】
Ｓ１０２において、Ｓ１０１で「ＹＥＳ」の場合、ＨＯ抑制部１０２Ｂが、ハンドオーバ要求元のセルサイズが自セルのセルサイズより大きいか否かを判断する。
【００５５】
Ｓ１０３において、Ｓ１０２で「ＹＥＳ」の場合、ＨＯ抑制部１０２Ｂが、ハンドオーバ対象の移動端末２０が高速端末か否かを判断する。
【００５６】
Ｓ１０４において、Ｓ１０３で「ＹＥＳ」の場合、ハンドオーバ要求の拒否応答がＨＯ要求元（基地局３０Ａ）に送信される。
【００５７】
Ｓ１０５において、Ｓ１０４の送信の後、干渉抑制部１０３Ｂは、干渉抑制の情報（ＡＢＳパターン）をＨＯ要求元（基地局３０Ａ）へ送信する。
【００５８】
Ｓ１０６において、Ｓ１０５の送信の後、干渉抑制部１０３Ｂは、自セルに在圏する端末の通信を、干渉抑制の時刻外（ＡＢＳ以外のフレーム（サブフレーム））に配置するように無線リソースの割当（スケジューリング）を行う。
【００５９】
なお、Ｓ１０１、Ｓ１０２及びＳ１０３において「ＮＯ」の場合、処理が終了する。
＜基地局３０Ａの動作＞
Ｓ１５１において、Ｓ１０４において送信されたハンドオーバ要求の拒否応答を受信したか否かが判断される。
【００６０】
Ｓ１５２において、Ｓ１５１で「ＹＥＳ」の場合、Ｓ１０５において送信された干渉抑制の情報（ＡＢＳパターン）を受信したか否かが判断される。
【００６１】
Ｓ１５３において、Ｓ１５２で「ＹＥＳ」の場合、基地局３０Ａは、ＨＯ要求を拒否された移動端末２０の通信（基地局３０Ａと移動端末２０との通信）を、干渉抑制の時刻（ＡＢＳにて示されるサブフレーム）にスケジューリング（無線リソース割当）する。
【００６２】
Ｓ１５１及びＳ１５２で「ＮＯ」の場合、処理が終了する。
【００６３】
図７は、第１の例示的な実施形態において高速端末を特定する方法を示す。
【００６４】
図７のＳ２０１において、基地局３０Ｂは、HO Requestを受信する。基地局３０Ｂは、受信したHO Requestの中の「UE History Information」情報要素（IE: Information Element）を受信する。
【００６５】
Ｓ２０２において、過去に滞在したセル（基地局３０Ａのセルより前のセル）の数が所定の値（Ｎｍｉｎ）と比較される。
【００６６】
Ｓ２０３において、過去に滞在したセルの数が所定の値（Ｎｍｉｎ）以上の場合（Ｓ２０２で「ＹＥＳ」の場合）、直近に滞在したＮ個のセルにおける平均滞在時間が計算される。
【００６７】
Ｓ２０４において、計算された平均滞在時間が、セル滞在時間の平均値（Ｔａｖｅ）と比較される。
【００６８】
Ｓ２０５において、計算された平均滞在時間がセル滞在時間の平均値（Ｔａｖｅ）より大きくない場合（Ｓ２０４で「ＮＯ」の場合）、ＨＯ対象の移動端末２０が高速端末と判定される。
【００６９】
Ｓ２０６において、Ｓ２０２で「ＮＯ」またはＳ２０４で「ＹＥＳ」の場合、ＨＯ対象の移動端末２０が低速端末と判定される。
【００７０】
以上において、本発明の第１の例示的な実施形態が示された。
＜第２の例示的な実施形態＞
図８は、第２の例示的な実施形態の構成を示す。
【００７１】
図８において、基地局３０Ａは、ＨＯ制御部１０１Ａ、ＨＯ抑制部１０２Ａ、干渉抑制部１０３Ａとを有する。また、基地局３０Ｂは、ＨＯ制御部１０１Ｂと干渉抑制部１０３Ｂとを有する。なお、図面中の矢印の向きは、一例を示すものであり、ブロック間の信号の向きを限定するものではない。
【００７２】
第２の例示的な実施形態は、第１の例示的な実施形態と以下の点で異なっている。すなわち、基地局３０ＡがＨＯ抑制部１０２Ａを含む。ＨＯ抑制部１０２Ａは、自セル３５Ａよりセルサイズが小さなセル３５Ｂへ干渉抑制を要求する手段であり、干渉抑制の要求（eICIC Request)を送信する。また、セル３５Ｂの干渉抑制部１０３Ｂは、他セルの基地局３０Ａから、干渉抑制の要求（eICIC Request)を受信する手段を備える。
【００７３】
上記の詳細が、第１の例示的な実施形態との差異を中心に、以下にて示される。
＜詳細＞
１．ＨＯ抑制部１０２Ａは、自セル３５Ａに接続する移動端末２０が高速端末ならば、自セル３５Ａよりセルサイズが小さなセル３５ＢへのＨＯを抑制し、セル３５Ｂへ干渉抑制を要求する。以下（１）〜（４）に詳細が示される。
【００７４】
（１）基地局３０Ａは、自セル３５Ａに接続する移動端末２０が高速端末か否かを判断する。
（１−１）例えば、基地局３０Ａは、自セル３５Ａに接続する移動端末２０に関する過去に滞在したセルの履歴情報を記憶するメモリ（不図示）を有する。この履歴情報は、上記第１の例示的な実施形態と同様に、セル識別情報（Global Cell ID）、セル種別（Cell Type）、滞在時間等の情報を含む。基地局３０Aは、例えば、セル滞在時間の平均値が所定値以下の場合、対象の移動端末２０を高速端末と判定する。
（１−２）また他の例として、基地局３０Ａは、対象とする移動端末２０から、移動端末２０の加速度センサの情報、移動端末２０の位置情報の時系列、上り回線のドップラー周波数の情報を取得する。基地局30Aは、取得した情報を用いて、前記対象の端末が、高速端末であるか否かと判定する。例えば、位置情報の時系列として、ＧＰＳ（Global Positioning System）を活用して、時刻毎の位置情報が、移動端末２０から基地局３０Ａに送信される。これを受信した基地局３０Ａは、所定時刻毎の位置情報を記憶し、位置情報の変化を分析することで、移動端末２０の移動速度を計算する。この計算結果に基づき、移動端末２０が高速端末であるか否かが判断される。
【００７５】
（２）基地局３０Ａは、他の端末が自セルへＨＯする際に取得した他セルのCell Typeの情報を記憶する。基地局３０Ａは、記憶されたCell Typeの情報に基づいて、他のセルのセルサイズを特定する。
【００７６】
また、セルの識別子（例えば物理セルＩＤ（PCI: Physical Cell ID））とCell Type（またはセルサイズ）とを対応づけて管理する管理装置から、基地局３０Ａが、ハンドオーバ先のセルのCell Typeまたはセルサイズを受信することにより、他のセルのセルサイズを特定してもよい。
【００７７】
（３）ハンドオーバを抑制する場合、基地局３０Ａは、抑制対象のセルに関するセル個別オフセット（ＣＩＯ：Cell Individual Offset）に通常より小さな値を設定し、移動端末２０へこの値を通知することにより行う。移動端末２０にこの小さな値が設定されると、移動端末２０が抑制対象のセル（ハンドオーバターゲットのセル）に関する測定報告を行うことが抑制される。これによって、基地局３０Ａが、測定報告に基づくハンドオーバ決定を行うことも抑制される（頻度が下がる）。このため、抑制対象のセル３５Ｂに端末がハンドオーバすることを抑制できる。
また、他の例として、基地局３０Ａが抑制対象のセルへのハンドオーバを実施しないようにすることを、ＨＯ抑制部１０２ＡがＨＯ制御部１０１Ａに指示してもよい。これによって、ハンドオーバの抑制が実現できる。ただし、基地局３０Ａのセル３５Ａにおいて、移動端末２０から報告されるセル３５Ａの受信品質（RF(Radio frequency)品質）が所定値を下回る場合には、ハンドオーバの抑制を行わなくてもよい。
【００７８】
（４）干渉抑制の要求は、基地局間インターフェイス（Ｘ２インターフェイス）を介して行われる。また、干渉抑制の要求は、基地局とコアネットワークとの間のインターフェース（S１インターフェース）を介して行われてもよい。また、干渉抑制の要求は、それぞれの基地局に接続され、基地局を管理するエレメント管理システム（EMS: Element Management System）やネットワーク管理システム（NMS: Network Management System）における管理ノードを介して、行われてもよい。
なお、干渉抑制の要求は、eICIC(Enhanced inter-cell interference coordination)に関するrequestメッセージを用いて、行われてもよい。
【００７９】
２．基地局３０Ｂは、基地局３０Ａから干渉抑制の要求を受けると、基地局３０Ｂは、基地局間インターフェース（Ｘ２インターフェース）を介して、干渉抑制の情報（ABSパターン）を、要求元の基地局３０Ａへ送信する。
【００８０】
図９は、第２の例示的な実施形態の動作を示す。
【００８１】
図９において、Ｓ３０１〜Ｓ３０３はＨＯ抑制部１０２Ａの動作である。また、Ｓ３０４及びＳ３０５は、干渉抑制部１０３Ａの動作である。Ｓ３５１〜Ｓ３５３は、干渉抑制部１０３Ｂの動作である。
＜基地局３０Ａの動作＞
Ｓ３０１において、ＨＯ抑制部１０２Ａは、自セル３５Ａに接続する端末（移動端末２０）が高速端末か否かを判断する。
【００８２】
Ｓ３０２において、Ｓ３０１で「ＹＥＳ」の場合、ＨＯ抑制部１０２Ａは、セルサイズが自セル３５Ａより小さなセル３５ＢへのＨＯを抑制する。
【００８３】
Ｓ３０３において、基地局３０Ａは、ＨＯを抑制した先のセル３５Ｂへ干渉抑制を要求する。
【００８４】
Ｓ３０４において、干渉抑制部１０３Ａが、干渉抑制の情報を受信したか否かを判断する。
【００８５】
Ｓ３０５において、Ｓ３０４で「ＹＥＳ」の場合、基地局３０Ａは、ＨＯを抑制した移動端末２０の通信（基地局３０Ａと移動端末２０との通信）を、干渉抑制の時刻（ＡＢＳにて示されるサブフレーム）にスケジューリング（無線リソース割当）する。
【００８６】
なお、Ｓ３０１及びＳ３０４において「ＮＯ」の場合、処理が終了する。
＜基地局３０Ｂの動作＞
Ｓ３５１において、干渉抑制部１０３Ｂが、干渉抑制を要求されたか否かを判断する。
【００８７】
Ｓ３５２において、干渉抑制部１０３Ｂが、干渉抑制の情報（ＡＢＳパターン）を要求元の基地局へ送信する。
【００８８】
Ｓ３５３において、干渉抑制部１０３Ｂが、自セルに在圏する端末の通信を、干渉抑制の時刻外（ＡＢＳ以外のフレーム（サブフレーム））に無線リソース割当（スケジューリング）する。
【００８９】
Ｓ３５１において「ＮＯ」の場合、処理が終了する。
【００９０】
第２の実施形態によれば、ハンドオーバ元の基地局がハンドオーバRequestの送信要否を判断するため、ハンドオーバ要求メッセージの発生を抑制し、基地局間シグナリングが低減され得る。
【００９１】
また、基地局３０は、端末から取得した情報（速度を示す情報、RF品質の測定情報）をもとにHO抑制の要否を判断できる。
このため、以下（１）または（２）のような不適切なHO抑制を抑えることができる。
（１）セル境界付近でHOを繰り返す低速端末を高速端末とみなしてHO抑制を適用し、スモールセルへのオフロード効果が阻害される。
（２）自セルにおいて、RF品質が劣化したためにHOが必要な高速端末のHOまで抑制し、RLFを引き起こす。
【００９２】
図１０は、第３の例示的な実施形態の構成を示す図である。なお、図面中の矢印の向きは、一例を示すものであり、ブロック間の信号の向きを限定するものではない。
【００９３】
図１０において、第３の例示的な実施形態の無線通信システムは、３つ以上の基地局（３０Ａ、３０Ｂ、３０Ｃ・・・）と、其々の基地局が構成するセル（３５Ａ、３５Ｂ、３５Ｃ・・・）とを含む。本実施形態において、セル３５Ａが、セルサイズが小さな複数のセル（３５Ｂ、３５Ｃ・・・）を含む。この場合、内包する個々のセルの基地局（３０Ｂ、３０Ｃ・・・）は、基地局３０Ａに対して、同一のＡＢＳパターンを送信する。
【００９４】
本実施形態によれば、基地局３０Ａが、ＨＯを抑制した移動端末２０の通信をスケジューリングする際に、単一のＡＢＳパターンに従えばよいため、基地局３０Ａのスケジューリングが容易になる。
【００９５】
図１１は、第４の例示的な実施形態の構成を示す。
【００９６】
図１１において、第３の例示的な実施形態の無線通信システムは、３つ以上の基地局（３０Ａ、３０Ｂ、３０Ｃ・・・）と、其々の基地局が構成するセル（３５Ａ、３５Ｂ、３５Ｃ・・・）とを含む。なお、図面中の矢印の向きは、一例を示すものであり、ブロック間の信号の向きを限定するものではない。
【００９７】
本実施形態において、セル３５Ａが、セルサイズが小さな複数のセル（３５Ｂ、３５Ｃ、・・・）を含むとき、内包する個々のセルを管理する基地局（３０Ｂ、３０Ｃ、・・・）において測定したセル３５ＡのＲＦ（Radio Frequency）強度に応じて、ＡＢＳパターンを変える（図１１では、ＡＢＳパターンＡ、ＡＢＳパターンＢとして示される）。内包する個々のセルの基地局（３０Ｂ、３０Ｃ、・・・）は、測定部１０４を有する。測定部１０４は、ネットワークリスニング（Network Listening）機能などの測定手段を用いて、セル３５ＡのＲＦ強度を測定する。
例えば、基地局３０Ｂは、測定したＲＦ強度が基準値以上である場合（例えば、セル３５Ａの中心付近に位置する場合）、干渉抑制を行う必要性が低いと判断する。このとき、基地局３０Ｂは、ＡＢＳの割合が所定値未満のＡＢＳパターンを使用する。一方、ＲＦ強度が基準値未満の場合（例えば、セル３５Ａのエッジ付近に位置する場合）には、干渉抑制の必要性が高いとみなし、基地局３０Ｂは、ＡＢＳの割合が所定値以上のＡＢＳパターンを使用する。
【００９８】
続いて、基地局３０Ａは、自セル３５Ａの移動端末２０が報告する周辺セルのＲＦ品質に基づき、スケジューリングの際に従うABSパターンを決定する。例えば、RF強度が最も強い周辺セルから受信したＡＢＳパターンに従い、パターン内のＡＢＳへ移動端末２０をスケジューリングする。または、RF強度が所定値以上である複数の周辺セルのABSパターンを俯瞰し、共通のＡＢＳへ移動端末２０をスケジューリングする。
【００９９】
本実施形態によれば、干渉抑制の必要性が低いセルにおいて、該セルに在圏する移動端末のために割り当て可能なサブフレーム（subframe）を増やすことが可能となる。
＜第５の例示的な実施形態＞
図１２は、第５の例示的な実施形態の構成を示す図である。第５の例示的な実施形態の基地局３０Ａは、上記実施形態で示された構成のほかに、送信部１０５Ａを有する。なお、図面中の矢印の向きは、一例を示すものであり、ブロック間の信号の向きを限定するものではない。
【０１００】
本実施形態によれば、ハンドオーバ元の基地局３０Ａの送信部１０５Ａが、基地局３０ＡにおけるＡＢＳの利用率（ABS Status）を、ハンドオーバのターゲットとされた基地局３０Ｂに送信する。基地局３０Ｂは取得したＡＢＳの利用率（ABS Status）が所定の範囲へ収まるように、ＡＢＳの割合を調整する。例えば、基地局３０Ｂは「利用率＞所定値」ならばＡＢＳの割合を増やす。基地局３０Ｂは、「利用率＜所定値」ならばＡＢＳの割合を減らす。
【０１０１】
なお、セル３５Ｂにおいて無線リソースの使用が抑制された時間区間において、基地局３０Ａは、移動端末２０の通信の割当てを行う。基地局３０Ｂから通知されたＡＢＳの時間区間のうち、実際に基地局３０Ａによって移動端末２０の通信の割当てに使用された時間区間の割合が、ＡＢＳの利用率と呼ばれる。
【０１０２】
本実施形態によれば、基地局３０Ｂにおいて必要以上にＡＢＳを確保したために、セル３５Ｂにおいてリソース割り当て可能なサブフレームが減少すること（セルの利用効率の低下）、または基地局３０ＡにおいてＡＢＳが不足することにより干渉抑制に失敗することを抑制できる。
＜第６の例示的な実施形態＞
図１３は、第６の例示的な実施形態の構成の一例を示す。
【０１０３】
図１３において、本実施形態の無線通信システム２０１は、決定部２０２と送信部２０３とを有する。なお、図面中の矢印の向きは、一例を示すものであり、ブロック間の信号の向きを限定するものではない。
【０１０４】
決定部２０２は、移動端末の移動速度と、第１のセルと第２のセルのセル種別に基づき、第１のセルから第２のセルへの移動端末のハンドオーバを抑制することを決定する。
【０１０５】
送信部２０３は、決定部２０２の決定の後に、第２のセルにおいて無線リソースの使用が抑制された時間区間を示す情報を、第１のセルを管理する基地局に送信する。
【０１０６】
本実施形態によれば、移動端末に関するハンドオーバの抑制を行った後に、第１のセルを管理する基地局が、第２のセルにおいて無線リソースの使用が抑制された時間区間を示す情報（干渉抑制の情報）を知ることできる。
【０１０７】
この結果、基地局が第２のセルから干渉を受ける場合の干渉を低減させるために、当該情報を活用できる。例えば、当該情報を第１のセルを管理する基地局が、干渉低減のために活用することができる。
【０１０８】
なお、決定部２０２及び送信部２０３が、単体の基地局に設けられてもよい。決定部２０２が第１の基地局に設けられ、送信部２０３が第２の基地局に設けられてもよい。また例えば、決定部２０２及び送信部２０３が、コアネットワークに設けられるノード内に設けられてもよいし、基地局を管理する制御装置（ＥＭＳ（Element Management System）装置）等に設けられてもよい。
＜他の実施形態＞
上述した実施形態では、干渉抑制の情報の一例であるＡＢＳパターンをスモールセルの基地局からマクロセルの基地局に対して通知する構成について詳細が示された。本発明はこの構成に限定されない。例えば、マクロセルの基地局及びスモールセルの基地局が、あらかじめ、ＡＢＳパターンに関する情報を記憶してもよい。この場合、上述の実施形態に示されるように、この記憶されたＡＢＳパターンに関する情報に基づき、干渉抑制のための制御が行われる。
【０１０９】
上述した実施形態では、ＨＯ対象の移動端末２０が高速端末であるか否かの判断が行われる。しかし、本動作は除外することが可能である。例えば、図６のＳ１０２の後、Ｓ１０３をスキップし、Ｓ１０４の動作が行われてもよい。また、図９のＳ３０１をスキップし、Ｓ３０２から動作がスタートしてもよい。
【０１１０】
上述した実施形態では、説明を簡単にするために、マクロセルがスモールセルを含む構成が示された。例示的な実施形態は、これに限定されず、例えば、マクロセルとマクロセルより小さいセルの一部が重なる構成にも適用できる。また、マクロセルではなく、マクロセルより小さいセルが、その小さいセルより更に小さいセルを含む構成にも適用できる。
【０１１１】
上記実施形態では、ＨＯ制御部、ＨＯ抑制部、干渉抑制部は、異なる構造として示されたが、例えば、ＨＯ制御部とＨＯ抑制部を含めて単に決定部としてもよいし、干渉抑制部を送信部またはスケジューラとしてもよい。また、これら構成要素はプロセッサとも表現できる。
【０１１２】
上述した実施形態の対象となる無線通信システムは、３ＧＰＰ  ＬＴＥ（Long Term Evolution）、３ＧＰＰ  Ｗ−ＣＤＭＡ（Wideband Code Division Multiple Access）、ＧＳＭ（登録商標）（Global System for Mobile communications）、ＷｉＭＡＸ（Worldwide interoperability for Microwave Access）等に適用可能であるが、これらに限定されない。
【０１１３】
また、いくつかの実施形態について、移動端末(UE)に関して本明細書で説明する。
移動端末は、ユーザ端末と呼ぶこともでき、システム、加入者ユニット、加入者局、移動局、ワイヤレス端末、モバイルデバイス、ノード、デバイス、リモート局、リモート端末、端末、ワイヤレス通信デバイス、ワイヤレス通信デバイス、ワイヤレス通信装置またはユーザエージェントの機能性の一部または全部を含み得る。移動端末は、セルラー電話、コードレス電話、セッション開始プロトコル(SIP)電話、スマートフォン、ワイヤレスローカルループ(WLL)局、携帯情報端末(PDA)、ラップトップ、タブレット、ネットブック、スマートブック、ハンドヘルド通信デバイス、ハンドヘルドコンピューティングデバイス、衛星無線、ワイヤレスモデムカードおよび/またはワイヤレスシステムを介して通信する別の処理デバイスでよい。
【０１１４】
さらに、様々な態様について、基地局に関して本明細書で説明する。基地局は、1つまたは複数のワイヤレス端末との通信に使用することができ、アクセスポイント、ノード、進化型ノードB(eNB)、または他の何らかのネットワークエンティティの機能性の一部または全部を含み得る。基地局は、エアインターフェースを介してUEと通信する。この通信は、1つまたは複数のセクタを通って起こり得る。基地局は、受信したエアインターフェースフレームをIPパケットに変換することによって、UEと、インターネットプロトコル(IP)ネットワークを含み得るアクセスネットワークの残りとの間のルータとして作用し得る。基地局は、エアインターフェース用の属性の管理を調整することもでき、ワイヤードネットワークとワイヤレスネットワークとの間のゲートウェイであってもよい。
【０１１５】
また、上記の無線通信システム及び無線通信端末は、ハードウェア、ソフトウェア又はこれらの組み合わせにより実現することができる。また、上記の通信システムの制御方法も、ハードウェア、ソフトウェア又はこれらの組み合わせにより実現することができる。ここで、ソフトウェアによって実現されるとは、コンピュータがプログラムを読み込んで実行することにより実現されることを意味する。
【０１１６】
プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ（Compact Disc-Read Only Memory）、ＣＤ−Ｒ（Compact Disc - Recordable）、ＣＤ−Ｒ／Ｗ（Compact Disc - Rewritable）、ＤＶＤ−ＲＯＭ（Digital Versatile Disc-ROM）、ＤＶＤ−Ｒ（Digital Versatile Disc - Recordable）、ＤＶＤ−Ｒ／Ｗ（Digital Versatile Disc-Rewritable）、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory）)を含む。
【０１１７】
また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１１８】
また、上述した各実施の形態は、適宜組み合わせて実施されることが可能である。また、本発明は、上述した各実施の形態に限定されず、様々な態様で実施されることが可能である。
【０１１９】
（付記）
前述の実施形態の一部または全部は、以下の各付記のようにも記載することができる。しかしながら、以下の各付記は、あくまでも、本発明の単なる例示に過ぎず、本発明は、かかる場合のみに限るものではない。
【０１２０】
（付記１）
移動端末と、前記移動端末が接続するセルを管理する基地局と、前記移動端末によるハンドオーバを制御する機能とを備えた無線通信システムであって、
移動速度の違いに応じて定められた端末種別と、セルサイズの違いに応じて定められたセル種別とを考慮して、前記移動端末による他セルへのハンドオーバを抑制するハンドオーバ抑制手段と、
ハンドオーバを抑制した移動端末に対して、前記他セルが及ぼす電波干渉を抑制する干渉抑制手段と
を備える無線通信システム。
【０１２１】
（付記２）
前記セル種別は、第１のセル種別と、前記第１のセル種別で示される第１のセルよりセルサイズが大きな第２のセルを示す第２のセル種別とを含む、付記１に記載の無線通信システム。
【０１２２】
（付記３）
前記端末種別は、第１の端末種別と、前記第１の端末種別で示される第１の端末より移動速度が速い第２の端末を示す第２の端末種別とを含む、付記１に記載の無線通信システム。
【０１２３】
（付記４）
前記セルは、前記他セルよりセルサイズの大きなセルであって、
前記ハンドオーバ抑制手段は、前記第２の端末種別に属する移動端末による、前記セルから前記他セルへのハンドオーバを抑制する、付記２又は３に記載の無線通信システム。
【０１２４】
（付記５）
前記ハンドオーバ抑制手段は、前記セルから前記他セルへのハンドオーバの要求を拒否する、付記４に記載の無線通信システム。
【０１２５】
（付記６）
前記ハンドオーバ抑制手段は、前記セルから前記他セルへのハンドオーバを抑制するハンドオーバ関連のパラメータを、前記セルへ接続する前記移動端末へ通知する、付記４に記載の無線通信システム。
【０１２６】
（付記７）
前記干渉抑制手段は、前記他セルへのハンドオーバの抑制が原因で通信品質の劣化が生じる場合に前記他セルが及ぼす電波干渉を抑制する、付記１に記載の無線通信システム。
【０１２７】
（付記８）
前記干渉抑制手段は、ハンドオーバを抑制された移動端末が通信の異常切断を経て前記他セルへ再接続する事象の発生数または発生率が所定値を超えた場合に、前記他セルが及ぼす電波干渉を抑制する、付記７に記載の無線通信システム。
【０１２８】
（付記９）
前記セルは、前記他セルよりセルサイズの大きなセルであって、
前記干渉抑制手段は、前記他セルを管理する基地局において所定の時間区間の無線リソースの使用を抑制する、付記２又は３に記載の無線通信システム。
【０１２９】
（付記１０）
前記干渉抑制手段は、前記他セルへのハンドオーバを抑制されたまま前記セルへ接続する移動端末の通信を前記時間区間へ割り当てる、付記９に記載の無線通信システム。
【０１３０】
（付記１１）
前記干渉抑制手段は、前記セルを管理する基地局における前記時間区間の使用率が所定値以下の場合に、前記他セルを管理する基地局において前記時間区間の無線リソースの使用を抑制しない、付記１０に記載の無線通信システム。
【０１３１】
（付記１２）
前記干渉抑制手段は、前記ハンドオーバを抑制する先の他セルが複数存在する場合に、夫々の他セルを管理する基地局において、同一の時間区間の無線リソースの使用を抑制する、付記９に記載の無線通信システム。
【０１３２】
（付記１３）
前記干渉抑制手段は、前記ハンドオーバを抑制する先の他セルが複数存在する場合に、夫々の他セルを管理する基地局で測定した前記セルの受信強度に応じて、無線リソースの使用を抑制する時間区間を決める、付記９に記載の無線通信システム。
【０１３３】
（付記１４）
前記干渉抑制手段は、前記ハンドオーバを抑制する先の他セルが複数存在し、夫々の他セルを管理する基地局において無線リソースの使用を抑制する時間区間が異なる場合に、前記ハンドオーバを抑制する移動端末が報告する前記他セルの無線品質に基づき、前記移動端末の通信を割り当てる時間区間を決める、付記１０に記載の無線通信システム。
【０１３４】
（付記１５）
前記干渉抑制手段は、前記セルを管理する基地局における前記時間区間の使用率が所定の範囲へ収まるように、無線リソースの使用を抑制する時間区間の割合を調整する、付記９に記載の無線通信システム。
【０１３５】
（付記１６）
移動端末と、第１のセルと、第２のセルとを有する無線通信システムであって、
前記移動端末の移動速度と、前記第１のセルと前記第２のセルのセル種別に基づき、前記移動端末が前記第１のセルから前記第２のセルへハンドオーバすることを抑制することを決定する決定部と、
前記決定の後に、前記第２のセルにおいて無線リソースの使用が抑制された時間区間を示す情報を、前記第１のセルを管理する基地局に送信する送信部、
を有する無線通信システム。
【０１３６】
（付記１７）
前記情報に示された時間区間に、
前記第１のセルに接続された前記移動端末の通信を割当てる割当手段を有する、
付記１６に記載の無線通信システム。
【０１３７】
（付記１８）
前記無線通信システムが第３のセルを有し、
前記決定部は、
前記第２及び前記第３のセルへ前記移動端末がハンドオーバすることを抑制することを決定し、
前記第２のセルと前記第３のセルにおいて、同一の時間区間における無線リソースの使用が抑制される、
付記１６または１７に記載の無線通信システム。
【０１３８】
（付記１９）
前記無線通信システムが第３のセルを有し、
前記第２のセルにて測定された前記第１のセルの受信強度に基づき、前記第２のセルにおいて無線リソースの使用が抑制される時間区間が決定され、
前記第３のセルにて測定された前記第１のセルの受信強度に基づき、前記第３のセルにおいて無線リソースの使用が抑制される時間区間が決定される、
付記１６または１７に記載の無線通信システム。
【０１３９】
（付記２０）
前記基地局は、
前記ハンドオーバを抑制するためのハンドオーバ関連のパラメータを、前記第１のセルに接続する前記移動端末に通知する、
付記１６乃至１９の何れか１項に記載の無線通信システム。
【０１４０】
（付記２１）
前記無線通信システムが、前記第２のセルを管理する第２の基地局を有し、
前記第２の基地局は、
前記ハンドオーバを抑制された移動端末が通信の異常切断を経て前記第２のセルへ再接続する事象の発生数または発生率を検出し、
前記検出された発生数または発生率が所定の閾値を超えた場合に、前記無線リソースの使用が抑制された時間区間に、前記第２のセルに在圏する移動端末との通信を割当てない、
付記１６乃至２０の何れか１項に記載の無線通信システム。
【０１４１】
（付記２２）
前記決定部による決定後に、前記第２の基地局が、
前記移動端末の移動速度が高速か否かを判断する、
付記１６乃至２１の何れか１項に記載の無線通信システム。
【０１４２】
（付記２３）
前記決定部による決定後に、前記第２の基地局が、
前記第１のセルと前記第２のセルとを比較し、前記第１のセルのセルサイズが前記第２のセルのセルサイズよりも大きいか否かを判断する、
付記１６乃至２２の何れか１項に記載の無線通信システム。
【０１４３】
（付記２４）
前記決定部による決定後に、前記第２の基地局は、
前記ハンドオーバを拒否する、
付記１６乃至２３の何れか１項に記載の無線通信システム。
【０１４４】
（付記２５）
移動端末と通信可能に構成される基地局であって、
第１のセルにて通信を行い、前記基地局の第２のセルをハンドオーバターゲットとする移動端末の移動速度と、前記第１のセルと前記第２のセルのセル種別とに基づき、
前記移動端末が前記第１のセルから前記第２のセルへハンドオーバすることを抑制することを決定する決定部と、
前記決定の後に、前記第２のセルにおいて無線リソースの使用が抑制された時間区間を示す情報を、前記第１のセルを管理する基地局に送信する送信部、
を有する基地局。
【０１４５】
（付記２６）
移動端末と、第１のセルと、第２のセルとを有する無線通信システムの通信方法であって、
前記移動端末の移動速度と、前記第１のセルと前記第２のセルのセル種別に基づき、前記移動端末が前記第１のセルから前記第２のセルへハンドオーバすることを抑制することを決定し、
前記決定の後に、前記第２のセルにおいて無線リソースの使用が抑制された時間区間を示す情報を、前記第１のセルを管理する基地局に送信する、
通信方法。
【０１４６】
（付記２７）
移動端末と通信可能に構成される基地局の通信方法をコンピュータに実行させるためのプログラムであって、
第１のセルにて通信を行い、前記基地局の第２のセルをハンドオーバターゲットとする移動端末の移動速度と、前記第１のセルと前記第２のセルのセル種別とに基づき、
前記移動端末が前記第１のセルから前記第２のセルへハンドオーバすることを抑制することを決定するプロセスと、
前記決定の後に、前記第２のセルにおいて無線リソースの使用が抑制された時間区間を示す情報を、前記第１のセルを管理する基地局に送信するプロセスと、
をコンピュータに実行させるためのプログラム。
【０１４７】
この出願は、２０１４年９月１０日に出願された日本出願特願２０１４−１８４０３６を基礎とする優先権を主張し、その開示の全てをここに取り込む。
【符号の説明】
【０１４８】
１  無線通信システム
２  ハンドオーバ抑制部
３  干渉抑制部
１０  無線通信システム
２０  移動端末
３０  基地局
３５  セル
１０１  ＨＯ制御部
１０２  ＨＯ抑制部
１０３  干渉抑制部
１０４  測定部
１０５  送信部
２０１  無線通信システム
２０２  決定部
２０３  送信部
２０００  移動端末
３０００  基地局
３５００  セル
【図１】
2016038879.tif 000003
【図２】
2016038879.tif 000004
【図３】
2016038879.tif 000005
【図４】
2016038879.tif 000006
【図５】
2016038879.tif 000007
【図６】
2016038879.tif 000008
【図７】
2016038879.tif 000009
【図８】
2016038879.tif 000010
【図９】
2016038879.tif 000011
【図１０】
2016038879.tif 000012
【図１１】
2016038879.tif 000013
【図１２】
2016038879.tif 000014
【図１３】
2016038879.tif 000015
【手続補正書】
【提出日】平成29年2月9日(2017.2.9)
【手続補正２】
【補正対象書類名】特許請求の範囲
【補正対象項目名】全文
【補正方法】変更
【補正の内容】
【特許請求の範囲】
【請求項１】
移動端末と、
第１のセルと、
第２のセルとを有する無線通信システムであって、
前記移動端末の移動速度に応じて定められた端末種別と、前記第１のセルのセル種別及び前記第２のセルのセル種別に基づき、前記移動端末が前記第１のセルから前記第２のセルへハンドオーバすることを抑制するハンドオーバ抑制部と、
前記ハンドオーバが抑制された前記移動端末に対して、前記第２のセルからの干渉を抑制する干渉抑制部と、
を有する無線通信システム。
【請求項２】
前記ハンドオーバ抑制部は、
前記第１のセルから前記第２のセルへのハンドオーバの要求を拒否する、
請求項１記載の無線通信システム。
【請求項３】
前記第１のセルを管理する基地局が、
前記ハンドオーバを抑制するためのハンドオーバ関連のパラメータを、前記第１のセルに位置する前記移動端末に通知する、
請求項１又は２の何れか１項に記載の無線通信システム。
【請求項４】
前記干渉抑制部は、
前記第２のセルへのハンドオーバが抑制された前記移動端末が前記第２のセル内に位置することにより第２のセルからの干渉を受ける場合に、
前記第２のセルから前記移動端末への干渉を抑制する、
請求項１乃至３の何れか１項に記載の無線通信システム。
【請求項５】
前記ハンドオーバを抑制された移動端末の通信が異常に切断された後、前記移動端末が前記第２のセルへ再接続する事象の発生数または発生率を検出する検出部を更に有し、
前記干渉抑制部は、
前記検出された発生数または発生率が所定の閾値を超えた場合に、前記第２のセルからの干渉を抑制する、
請求項１乃至４の何れか１項に記載の無線通信システム。
【請求項６】
前記第２のセルを管理する第２の基地局を更に有し、
前記干渉抑制部は、
前記第２の基地局が所定の時間区間の無線リソースの使用を抑制するように制御する、
請求項１乃至５の何れか１項に記載の無線通信システム。
【請求項７】
前記干渉抑制部は、
前記第１のセルを管理する基地局が前記所定の時間区間を利用する利用率が、所定値以下の場合において、
前記第２のセルを管理する基地局が前記所定の時間区間における無線リソースの使用を抑制しないよう制御する、
請求項６に記載の無線通信システム。
【請求項８】
第３のセルと、前記第３のセルを管理する基地局とを更に有し、
前記ハンドオーバ抑制部が、前記移動端末が前記第１のセルから、前記第２のセル及び前記第３のセルへハンドオーバすることを抑制する場合において、
前記干渉抑制部は、
前記第３のセルを管理する基地局が、前記所定の時間区間と同じ時間区間の無線リソースの使用を抑制するように制御する、
請求項６に記載の無線通信システム。
【請求項９】
移動端末と、第１のセルと、第２のセルとを有する無線通信システムの基地局であって、
前記移動端末の移動速度と、前記第１のセルのセル種別及び前記第２のセルのセル種別に基づき、前記移動端末が前記第１のセルから前記第２のセルへハンドオーバすることを抑制するハンドオーバ抑制部と、
前記ハンドオーバが抑制された前記移動端末に対して、前記第２のセルからの干渉を抑制する干渉抑制部と、
を有する基地局。
【請求項１０】
移動端末と、第１のセルと、第２のセルとを有する無線通信システムの通信方法であって、前記通信方法は、
前記移動端末の移動速度と、前記第１のセルのセル種別及び前記第２のセルのセル種別に基づき、前記移動端末が前記第１のセルから前記第２のセルへハンドオーバすることを抑制することと、
前記ハンドオーバが抑制された前記移動端末に対して、前記第２のセルからの干渉を抑制することを含む通信方法。
【国際調査報告】
2016038879.tif 000016
2016038879.tif 000017
2016038879.tif 000018
2016038879.tif 000019